(57)【要約】      （修正有）【課題】怒る、冷静になる、考えをまとめる、問題を解決するという流れのうちの怒るという感情が起きたとき、前記流れで自己処理をすることが困難である人の体内に溜まったストレスを解消するために愚痴を言うなどの話すという行動あるいは人あるいは物に当たるという行動のうちの前記話すという行動を請け負うことを可能とする。【解決手段】話すという行動のみを話し手が聞き手にして、聞く及び相槌を打つという行動のみを該聞き手が該話し手にする。前記話すという行動のみを該話し手が該聞き手にすることができたことに対して金銭を該話し手が該聞き手を雇用する経営者あるいは団体に支払い、該話し手の前記話すという行動を請け負うという労働をしたことに対して報酬を該経営者あるいは該団体が該聞き手に支払う。【選択図】図５
2009294811.tif 000002
【特許請求の範囲】
【請求項１】
話すという行動のみを話し手が聞き手にして、聞く及び相槌を打つという行動のみを該聞き手が該話し手にすることを媒体を介した形態ですることを特徴とする聞き手システム。
【請求項２】
該話し手が話した内容を該聞き手が第三者あるいは他団体に漏洩しないことを特徴とする請求項１記載の聞き手システム。
【請求項３】
前記話すという行動のみを該話し手が該聞き手にすることができたことに対して金銭を該話し手が該聞き手を雇用する経営者あるいは団体に支払い、該話し手の前記話すという行動を請け負うという労働をしたことに対して報酬を該経営者あるいは該団体が該聞き手に支払うことを特徴とする請求項１あるいは２記載の聞き手システム。
【発明の詳細な説明】
【技術分野】
【０００１】
本発明は聞き手システムに係わる。
【背景技術】
【０００２】
特許文献１においては本発明と目的及び構成を異にする。
【０００３】
特許文献２においては本発明と目的及び構成を異にする。
【０００４】
【特許文献１】特許第３９９３０２４号
【特許文献２】特許第３９５８２５３号
【発明の開示】
【発明が解決しようとする課題】
【０００５】
話し手の需要が多いのに対して聞き手の供給が少ないことから、話し手の自己処理及びストレス解消を促すことが困難であるという短所があった。
【課題を解決するための手段】
【０００６】
話すという行動のみを話し手が聞き手にして、聞く及び相槌を打つという行動のみを該聞き手が該話し手にすることを媒体を介した形態ですることを特徴とする。
【０００７】
該話し手が話した内容を該聞き手が第三者あるいは他団体に漏洩しないことを特徴とする。
【０００８】
前記話すという行動のみを該話し手が該聞き手にすることができたことに対して金銭を該話し手が該聞き手を雇用する経営者あるいは団体に支払い、該話し手の前記話すという行動を請け負うという労働をしたことに対して報酬を該経営者あるいは該団体が該聞き手に支払うことを特徴とする。
【発明の効果】
【０００９】
本発明は、話すという行動のみを話し手が聞き手にして、聞く及び相槌を打つという行動のみを該聞き手が該話し手にすることを媒体を介した形態ですることで、怒る、冷静になる、考えをまとめる、問題を解決するという流れのうちの怒るという感情が起きたとき、前記流れで自己処理をすることが困難である人の体内に溜まったストレスを解消するために愚痴を言うなどの話すという行動あるいは人あるいは物に当たるという行動のうちの前記話すという行動を請け負うことができる。
【００１０】
これにより、前記流れの冷静になるという過程を前記媒体で前記形態ですることで促すことができることから、前記流れの残りの考えをまとめる、問題を解決するという過程を経ることを該聞き手が該話し手に促すことができる。よって前記流れで自己処理をすることが困難である人すなわち該話し手であったとしても、前記流れで該話し手の自己処理を促すことが容易になる。又、これにより、前記流れで該話し手の自己処理を促すことが容易になることで、該話し手の体内に溜まっているストレスの原因を取り除くことを促すことができることから、該話し手のストレス解消を促すことが容易になる。
【００１１】
又、本発明は、該話し手が話した内容を該聞き手が第三者あるいは他団体に漏洩しないことで、前記内容を漏洩した該聞き手が該話し手に不快な思いをさせることを防止することができる。
【００１２】
又、本発明は、前記話すという行動のみを該話し手が該聞き手にすることができたことに対して金銭を該話し手が該聞き手を雇用する経営者あるいは団体に支払い、該話し手の前記話すという行動を請け負うという労働をしたことに対して報酬を該経営者あるいは該団体が該聞き手に支払うことで、金銭を該話し手が該経営者あるいは該団体に支払い、報酬を該経営者あるいは該団体が該聞き手に支払うという形態で金銭の流れができることから、該経営者あるいは該団体及び該聞き手は本発明をビジネスの形態で実現することができる。
【発明を実施するための最良の形態】
【００１３】
本発明を実施するための形態を各図を参照して説明する。
本発明は、話すという行動のみを話し手が聞き手にして、聞く及び相槌を打つという行動のみを該聞き手が該話し手にすることを媒体を介した形態でする聞き手システムである。前記媒体は電話にしてもよい。
【００１４】
該話し手が話した内容を該聞き手が第三者あるいは他団体に漏洩しない聞き手システムにしてもよい。
【００１５】
本発明の実施例においては図３〜図６に示すように前記話すという行動のみを該話し手が該聞き手にすることができたことに対して金銭を該話し手が該聞き手を雇用する経営者あるいは団体に支払い、該話し手の前記話すという行動を請け負うという労働をしたことに対して報酬を該経営者あるいは該団体が該聞き手に支払う聞き手システムに係わる。
【００１６】
人は図１に示す怒る、冷静になる、考えをまとめる、問題を解決するという流れのうちの怒るという感情が起きたとき、図２に示すように前記流れで自己処理をすることが困難である人は体内に溜まったストレスを解消するために愚痴を言うなどの話すという行動あるいは人あるいは物に当たるという行動をする。そのうちの前記話すという行動をする人すなわち話し手の需要が多いのに対して聞き手の供給が少ないことから、話し手の自己処理及びストレス解消を促すことが困難である。
【００１７】
しかし、本発明は、図３に示すように話すという行動のみを話し手が聞き手にして、図４に示すように聞く及び相槌を打つという行動のみを該聞き手が該話し手にすることを媒体を介した形態ですることで、図１に示す怒る、冷静になる、考えをまとめる、問題を解決するという流れのうちの怒るという感情が起きたとき、図３、図４に示すように前記流れで自己処理をすることが困難である人の体内に溜まったストレスを解消するために愚痴を言うなどの話すという行動あるいは人あるいは物に当たるという行動のうちの前記話すという行動を請け負うことができる。
【００１８】
これにより、図５に示すように前記流れの冷静になるという過程を前記媒体で前記形態ですることで促すことができることから、前記流れの残りの考えをまとめる、問題を解決するという過程を経ることを該聞き手が該話し手に促すことができる。よって前記流れで自己処理をすることが困難である人すなわち該話し手であったとしても、前記流れで該話し手の自己処理を促すことが容易になる。又、これにより、前記流れで該話し手の自己処理を促すことが容易になることで、該話し手の体内に溜まっているストレスの原因を取り除くことを促すことができることから、該話し手のストレス解消を促すことが容易になる。前記自己処理とは図１に示す怒る、冷静になる、考えをまとめる、問題を解決するという流れで自己で抱える問題を自己で処理することを言う。
【００１９】
又、本発明は、前記話すという行動のみを該話し手が該聞き手にすることができたことに対して金銭を該話し手が該聞き手を雇用する経営者あるいは団体に支払い、該話し手の前記話すという行動を請け負うという労働をしたことに対して報酬を該経営者あるいは該団体が該聞き手に支払うことで、図６に示すように金銭を該話し手が該経営者あるいは該団体に支払い、報酬を該経営者あるいは該団体が該聞き手に支払うという形態で金銭の流れができることから、該経営者あるいは該団体及び該聞き手は本発明をビジネスの形態で実現することができる。
【産業上の利用可能性】
【００２０】
本発明は、自己処理及びストレス解消を促す構成を実現することができるため、利便性の向上を期待することができる。
【図面の簡単な説明】
【００２１】
【図１】怒る、冷静になる、考えをまとめる、問題を解決するという流れで自己で抱える問題を自己で処理するという自己処理の流れ図
【図２】怒る、冷静になる、考えをまとめる、問題を解決するという流れで自己で抱える問題を自己で処理するという自己処理の流れのうち冷静になるという過程を促すときを含む流れ図
【図３】本発明の一実施例の話し手から聞き手への流れ図
【図４】本発明の一実施例の聞き手から話し手への流れ図
【図５】本発明の一実施例の怒る、冷静になる、考えをまとめる、問題を解決するという流れで自己で抱える問題を自己で処理するという自己処理を促すときの流れ図
【図６】本発明の一実施例の金銭の流れ図
【図１】
2009294811.tif 000003
【図２】
2009294811.tif 000004
【図３】
2009294811.tif 000005
【図４】
2009294811.tif 000006
【図５】
2009294811.tif 000007
【図６】
2009294811.tif 000008